(57)【要約】【課題】ケースの側壁と対面することなく、上方からオイル液面を観察して簡単にオイル液面高さを知る。【解決手段】内部に潤滑油等のオイルを収容したケースの側面から連結パイプ２２を介して外側に突出させる表示体２５を、合成樹脂製の透明材料にて形成する。表示体２５は、水平な筒軸線２６を有する筒状で閉止先端部２５ａを有し、表示体２５の内径部２９はケース内のオイルが連通する基端側の鉛直断面積が大きく、閉止先端部２５ａに近づくに従って鉛直断面積が比例的に小さくなる横向き円錐状に形成する。これにより、オイル面高さの違いにより、オイル面と内径部２９との境界線３１ａ，３１ｂ，３１ｃ形状が比例的に変化するから、オイル面高さを表示体の上方から簡単に判別できるという効果を奏する。【選択図】  図５
2004301809.tif 000002
【特許請求の範囲】
【請求項１】
内部に潤滑油等のオイルを収容したケースの側面から外側に、閉止先端部を有する筒状の表示体を、その筒軸線が略水平状になるように突設させ、
該表示体には、前記ケース内のオイルが連通する内径部を備え、少なくとも上面側から前記内径部を透視できるように構成したことを特徴とするオイル面高さ表示装置。
【請求項２】
前記表示体における内径部は、その基端側の前記筒軸線と直交する方向の断面積が大きく、前記閉止先端部に行くに従って、前記断面積が比例的に小さくなるように形成されていることを特徴とする請求項１に記載のオイル面高さ表示装置。
【請求項３】
前記内径部の形状を、横向きの円錐形または角錐形にしたことを特徴とする請求項２に記載のオイル面高さ表示装置。
【請求項４】
前記表示体は、ガラスまたは合成樹脂製の透明材料からなることを特徴とする請求項１乃至３のいずれかに記載のオイル面高さ表示装置。
【請求項５】
前記表示体の外周面のうち少なくとも上面側には、オイル面高さを計測できる目盛線を設けたことを特徴とする請求項１乃至４のいずれかに記載のオイル面高さ表示装置。
【発明の詳細な説明】
【０００１】
【発明の属する技術分野】
本発明は、工作機械の旋回テーブルを支持するための支持ケースや、ミッションケースなどの潤滑油等のオイルを収容したケースの外側であって上方から前記オイル面高さを視認できるようにしたオイル面高さ表示装置の構成に関するものである。
【０００２】
【従来の技術】
従来から、エンジンのクランクケースやミッションケース等の内部機構の潤滑のための潤滑油を収納したケースの略鉛直方向に延びる側面の一部に開口部を穿設し、該開口部をガラス窓（オイル点検窓）で覆い、そのガラス窓には油面高さを計測できる目盛線を施してなるオイルゲージが知られている（特許文献１及び特許文献２）。
【０００３】
また、旋回割り出し可能なテーブルを支持すべく歯車装置等を内蔵したベースの鉛直方向に延びる側面にガラス窓を有するオイルゲージを備えたものも知られている（特許文献３）。
【０００４】
【特許文献１】
特開２０００−１８６５２６号公報（図１及び図８参照）
【特許文献２】
特開２００１−７３９２８号公報（図２及び図３参照）
【特許文献３】
特開２００２−１０３１８１公報（段落００１８及び図１参照）
【０００５】
【発明が解決しようとする課題】
しかしながら、これらのオイルゲージ（油面高さ表示装置）は、ガラス窓が略鉛直方向に延びるものであるから、その装置の上方から油面を視認することができない。特に、ガラス窓の取付け箇所が旋回テーブルの下方等の狭い箇所に配置されていると、作業者が旋回テーブル等の部品の下方まで顔を覗かせてガラス窓の箇所を確認しなければならず、油面高さの確認作業が非常に困難になるという問題があった。
【０００６】
本発明は、上記従来の技術の欠点に鑑みてなされたものであって、簡単な構造で、油面高さを上方から視認できるようにした油面高さ表示装置を提供することを目的とするものである。
【０００７】
【課題を解決するための手段】
前記目的を達成するため、請求項１に記載の発明のオイル面高さ表示装置は、内部に潤滑油等のオイルを収容したケースの側面から外側に、閉止先端部を有する筒状の表示体を、その筒軸線が略水平状になるように突設させ、該表示体には、前記ケース内のオイルが連通する内径部を備え、少なくとも上面側から前記内径部を透視できるように構成したものである。
【０００８】
そして、請求項２に記載の発明は、請求項１に記載のオイル面高さ表示装置において、前記表示体における内径部は、その基端側の前記筒軸線と直交する方向の断面積が大きく、前記閉止先端部に行くに従って、前記断面積が比例的に小さくなるように形成されているものである。
【０００９】
また、請求項３に記載の発明は、請求項２に記載のオイル面高さ表示装置において、前記内径部の形状を、横向きの円錐形または角錐形にしたものである。
【００１０】
請求項４に記載の発明は、請求項１乃至３のいずれかに記載のオイル面高さ表示装置において、前記表示体は、ガラスまたは合成樹脂製の透明材料からなるものである。
【００１１】
請求項５に記載の発明は、請求項１乃至４のいずれかに記載のオイル面高さ表示装置において、前記表示体の外周面のうち少なくとも上面側には、オイル面高さを計測できる目盛線を設けたものである。
【００１２】
【発明の実施の形態】
次に、本発明を具体化した実施形態について説明する。図１は旋回テーブル装置の平面図、図２は図１のＩＩ−ＩＩ線矢視側面図、図３は旋回テーブル装置の側断面図、図４（ａ）はオイル面高さ表示装置の断面図、図４（ｂ）は図４（ａ）の  ＩＶｂ−ＩＶｂ  線矢視図、図５（ａ）〜図５（ｃ）は上方から見たときの油面高さの相違による油面境界線の形状を示す説明図、図６は他の実施形態の内径部の断面を示す図、図７ははさらに他の実施形態を示す平面図である。
【００１３】
本実施形態の回転割り出し式旋回テーブル装置１は、図示しない工作機械の基台上に配置され、ワークを上面に保持して０度位置と１８０度位置とに往復旋回運動する旋回テーブル１０がケースとしての平面視略矩形状ベース２の上に配置されたものである。そして、工作機械における前記基台の一側から立設するコラムに設けられた昇降動する主軸の下端に設けられたドリル等の切削工具にて前記旋回テーブル１０上のワークに穴あけ等の機械加工を実行する。
【００１４】
前記ベース２にはスピンドル３がベアリング４を介して回転自在に立設されている。このスピンドル３の下面側のボス部３ａに被嵌する大歯車５は、ベース２の潤滑油収容室２ａ内に配置され、前記旋回テーブル１０の上面から挿入した取付けボルト６にて前記スピンドル３と共に一体的に回転するように固着されている（図３参照）。そして、駆動手段の一例としての正回転及び逆回転可能な駆動モータ７により回転駆動される駆動軸８がベース２を水平に貫いて前記潤滑油収容室２ａ内に位置する先端部等に設けられ、ギヤ９が前記大歯車５の下面に形成された歯部５ａに噛み合うように構成されている（図３参照）。
【００１５】
旋回テーブル１０は、図１に示すごとく、その上面の左右両側には、ワークを直接的または治具を介して間接的に取りつけ固定するための溝１２、１３が形成されている。また、旋回テーブル１０の下面のうち前記ベース２より外側を覆うようにした下カバー体１４が取付けられている。なお、前記ベース２の上面及び旋回テーブル１０の下面には、前記ベアリング４を押えるための外ベアリング押え１５と内ベアリング押え１６とが設けられており、外ベアリング押え１５の上下面には、前記旋回テーブル１０の円周状下面溝及び前記ベース２の円周状上面溝との間にシール部材１７、１８を介挿させてある。
【００１６】
なお、前記旋回テーブル１０を所定角度位置で停止させるための割り出し装置等は本発明と直接関連しないので説明は省略する。
【００１７】
次に、図１、図２、図４〜図６に基づいて、本発明に係るオイル面高さ表示装置２０の第１実施形態の構成について説明する。
【００１８】
潤滑油収容室２ａを有するケースとしてのベース２の略鉛直方向に延びる一側壁２１には、潤滑油収容室２ａに連通する開口を略水平方向に穿設し、その開口には、略水平状に連結パイプ２２を外向きに接続する。この連結パイプ２２の中途部には油供給部２３を設け、これを栓ボルト２４にて塞いでいる。
【００１９】
本発明のオイル面高さ表示装置２０は、前記連結パイプ２２の先端部に螺着できる略水平方向に筒軸線２６を有する筒状の表示体２５であって、その表示体２５の筒先端部（閉止先端部）２５ａは閉止されており、基端側の外周にはスパナ等の工具を使用して螺着等の回転作業ができるように６角鍔２７が形成され、この６角鍔２７より基端側外周には雄ねじ部２８が形成されている。
【００２０】
この表示体２５の内径部２９は、その基端側で前記連結パイプ２２に連通しており、且つ  前記筒軸線２６と直交する方向の基端側の断面積（鉛直断面積）が大きく、前記閉止先端部２５ａに行くに従って、前記鉛直断面積が比例的に小さくなるように形成されているものである。第１実施形態では、表示体２５は外形状は円筒状であり、かつ前記内径部２９は最大直径がＤ０の横向きの円錐形に形成されているものである（図４（ａ）及び図４（ｂ）参照）。また、表示体２５は、少なくとも上面側から前記内径部２９を透視できるように構成したものであり、実施形態では表示体２５全体を、ポリメタアクリル酸メチル（アクリル樹脂）、ポリアミド樹脂（ナイロン樹脂）、ポリカーボネートで透明な材料で一体成形したものである。
【００２１】
このように形成すれば、オイル３０の液面の高さＨ１が水平な円錐状の内径部２９の筒軸線２６よりも低く、且つ内径部２９の最大鉛直断面積（最大直径Ｄ０）の最低（底）よりも高い位置の場合、前記内径部２９内の上方部位は空気層であり、底部にのみオイル３０が溜まっているから、表示体２５の上面から見たとき（平面視）、内径部２９における前記オイル３０の液面の境界線３１ａ（オイル３０の液面の平面視形状）は、内径部２９の前記鉛直断面積が小さい方に行くに従って先窄まりとなる放物線（砲弾型）に見えるのである（但し、図５（ａ）の右の図では、筒軸線２６を通る水平面で表示体２５を切断した状態で示す）。
【００２２】
そして、前記オイル３０の液面の高さＨ１が水平な円錐状の内径部２９の筒軸線２６と一致するときには、オイル３０の液面の平面視形状（境界線）３１ｂは前記円錐状の内径部２９と一致したように見える（但し、図５（ｂ）の右の図では、筒軸線２６を通る水平面で表示体２５を切断した状態で示す）。さらに、前記オイル３０の液面の高さＨ１が水平な円錐状の内径部２９の筒軸線２６より高い位置で、且つ内径部２９の最大鉛直断面積の最上（天井）よりも低い位置の場合には、内径部２９の断面積の小さい側（円錐の先端側）にオイル３０が充填されているので、内径部２９の最大鉛直断面積側で空気層が存在するようなオイル３０の液面の平面視形状（境界線）３１ｃが見える（但し、図５（ｂ）の右の図では、筒軸線２６を通る水平面で表示体２５を切断した状態で示す）。
【００２３】
上記のような形状の内径部２９を有する表示体２５を上方から視認すると、前記内径部２９におけるオイル３０の液面の平面視形状（境界線）３１は、その液面の高により違った形状に見えるから、この形状の相違によりオイル３０の液面高さを容易に確認することができるのである。
【００２４】
図６に示す他の実施形態では、外径が円柱状の表示体２５であり、内径部３２は、水平な筒軸線２６と直交する基端側の最大断面部が四角形の横向き角錐状（四角錐）に形成されているものであり、且つこの四角錐の底面である最大断面部の四角形の１つの交点３３を前記筒軸線２６を通る鉛直線上に配置すれば、前記表示体２５における内径部３２が、前記筒軸線２６と直交する方向の基端側の鉛直断面積が大きく、前記閉止先端部に行くに従って、前記鉛直断面積が比例的に小さくなるように形成されているものであるから、前記実施形態の横向き円錐状の内径部２９の場合と同様に、表示体２５を上方から観察すると、オイル３０の液面の高さに応じてその平面視形状（境界線）が違って見えるので、この判別にてオイル３０の液面高さを容易に確認することができるのである。この内径部の角錐は三角錐〜多角錐のいずれでも良い。
【００２５】
また、表示体２５全体が透明材料で形成されている必要はなく、少なくとも観察方向である表示体２５の上面側を透明にしてその内径部を上から透視、観察できるものであれば良い。
【００２６】
さらに、図７に示すように、表示体２５の外周面のうち少なくとも上面側には、前記図５（ａ）、図５（ｃ）に示すような境界線３１ａや３１ｃのうち、筒軸線２６との交差の位置（前記閉止先端部２５ａからの遠近寸法）を判別することにより、オイル面の高さを計測することができるように、目盛線３４を刻印等にて付するように構成しても良い。
【００２７】
また、前記各実施形態では、ベース（ケース）２の鉛直方向に延びる側壁２１から連結パイプ２２を水平状に突設し、その先端に本発明の表示体２５を接続しているが、前記連結パイプ２２はベース（ケース）２の底面など収容されているオイル３０と連通している箇所に接続すれば良く、連結パイプ２２の中途部に空気層ができないのであれば、連結パイプ２２自体を傾斜状もしくは湾曲状に配置して良い。その他、前記側壁２１の外面に直接表示体２５を接続しても良い。表示体は、円柱状のものばかりでなく、略半球状にし、内径部も半球状としても良い。これら半球状、円錐状角錐状の内径部の最大鉛直断面を大きくすれば、オイル３０の液面の高さを広い範囲で計測できることになる。
【００２８】
前記ベース（ケース）２の鉛直方向に延びる側壁２１から外方向に突出させた表示体２５の側面部分からも内径部が透視できるように透明にすれば、作業者は前記側壁２１と対面することなく表示体２５の側面を観察することで、オイル面及びその高さを簡単に観察できるのである。
【００２９】
【発明の効果】
以上に説明したように、請求項１に記載の発明のオイル面高さ表示装置は、内部に潤滑油等のオイルを収容したケースの側面から外側に、閉止先端部を有する筒状の表示体を、その筒軸線が略水平状になるように突設させ、該表示体には、前記ケース内のオイルが連通する内径部を備え、少なくとも上面側から前記内径部を透視できるように構成したものであるから、作業者は表示体を上方から観察するだけで、簡単にオイル面を知ることができるという効果を奏する。
【００３０】
そして、請求項２に記載の発明は、請求項１に記載のオイル面高さ表示装置において、前記表示体における内径部は、その基端側の前記筒軸線と直交する方向の断面積が大きく、前記閉止先端部に行くに従って、前記断面積が比例的に小さくなるように形成されているものであるから、オイル面高さの違いにより、オイル面と内径部との境界線形状が比例的に変化するから、オイル面高さを表示体の上方から簡単に判別できるという効果を奏する。
【００３１】
また、請求項３に記載の発明は、請求項２に記載のオイル面高さ表示装置において、前記内径部の形状を、横向きの円錐形または角錐形にしたものであり、これによっても内径部におけるオイル面の内径部との境界線形状が比例的に変化するから、オイル面高さを表示体の外方から簡単に判別できるという効果を奏する。
【００３２】
請求項４に記載の発明は、請求項１乃至３のいずれかに記載のオイル面高さ表示装置において、前記表示体は、ガラスまたは合成樹脂製の透明材料からなるものである。このように、表示体全体を透明材料にて形成すれば、作業者は前記ケースの側面と対面することなく、突出している表示体の側面を観察することで、オイル面高さを簡単に観察できるのである。
【００３３】
請求項５に記載の発明は、請求項１乃至４のいずれかに記載のオイル面高さ表示装置において、前記表示体の外周面のうち少なくとも上面側には、オイル面高さを計測できる目盛線を設けたものであるから、オイル面の境界線と内径部における筒軸線との交点を目盛線により観察することで、当該オイル面高さの違いを簡単に観察できるという効果を奏する。
【図面の簡単な説明】
【図１】旋回テーブル装置の平面図である。
【図２】図１のＩＩ−ＩＩ線矢視側面図である。
【図３】旋回テーブルの断面図である。
【図４】（ａ）はオイル面高さ表示装置の第１実施形態の側断面図、（ｂ）は図４（ａ）のＩＶｂ  −ＩＶｂ  線矢視図である。
【図５】（ａ）はオイル液面が筒軸線より低い場合のオイル面の境界線の見え方を示す図、（ｂ）はオイル液面が筒軸線と一致する高さの場合のオイル面の境界線の見え方を示す図、（ｃ）はオイル液面が筒軸線より高い場合のオイル面の境界線の見え方を示す図である。
【図６】内径部の他の実施形態の断面図である。
【図７】目盛線形態を示す平面図である。
【符号の説明】
１    割り出し式旋回テーブル装置
２    ベース
２ａ  潤滑油収容室
１０    旋回テーブル
２０    オイル面表示装置
２１    側壁
２２    連結パイプ
２５    表示体
２６    筒軸線
２９、３２      内径部
３１ａ，３１ｂ，３１ｃ      境界線
【図１】
2004301809.tif 000003
【図２】
2004301809.tif 000004
【図３】
2004301809.tif 000005
【図４】
2004301809.tif 000006
【図５】
2004301809.tif 000007
【図６】
2004301809.tif 000008
【図７】
2004301809.tif 000009